(57)【要約】【課題】開缶用タブのリベットに対する回転を防止でき、開栓性に優れた缶蓋及び缶を提供する。【解決手段】缶蓋１００は、缶蓋本体２とリベット２５により缶蓋本体２に取り付けられた開缶用タブ１とを備え、缶蓋本体２には、開缶用タブ１の下面側で開缶用タブ１に向けて突出する一対の凸部２９が設けられ、開缶用タブ１には、缶蓋本体２に向けて突出するタブパネルが設けられており、タブパネル１４は、リベット２５の中心から凸部２９の頂部２９ａまでの距離を半径ｒ１とする円弧Ｑ上において、対となる凸部２９どうしの間に設けられている。【選択図】      図２
2017124844.tif 000002
【特許請求の範囲】
【請求項１】
缶蓋本体とリベットにより該缶蓋本体に取り付けられた開缶用タブとを備え、
前記缶蓋本体には、前記開缶用タブの下面側で該開缶用タブに向けて突出する一対の凸部が設けられ、
前記開缶用タブには、前記缶蓋本体に向けて突出するタブパネルが設けられており、
前記タブパネルは、前記リベットの中心から前記凸部の頂部までの距離を半径とする円弧上において、対となる前記凸部どうしの間に設けられていることを特徴とする缶蓋。
【請求項２】
前記凸部の頂部が、前記タブパネルの裏面よりも上側に突出して設けられていることを特徴とする請求項１に記載の缶蓋。
【請求項３】
前記円弧上において、対となる前記凸部どうしの間の円弧長をａ１とし、前記タブパネルの両側縁間の円弧長をａ２とし、前記開缶用タブの両側縁間の円弧長をａ３としたときに、前記円弧長ａ１と前記円弧長ａ２との差分が、前記円弧長ａ３と前記円弧長ａ１との差分よりも小さく設けられていることを特徴とする請求項１又は２に記載の缶蓋。
【請求項４】
缶胴本体に請求項１から３のいずれか一項に記載の缶蓋が巻締められていることを特徴とする缶。
【発明の詳細な説明】
【技術分野】
【０００１】
本発明は、内部に飲料等の内容物が充填される缶胴本体に巻締められる缶蓋及び缶に関する。
【背景技術】
【０００２】
飲料用の缶蓋として、特許文献１に開示されるように、開缶用タブ（タブ）を缶蓋本体に取り付けたままの状態で飲み口が開口可能なステイオンタブ型のものが知られている。この缶蓋は、缶蓋本体のパネルに開缶用タブがリベットによって取り付けられており、開缶用タブの後端部側に形成された引上部（タブテール部）を引き上げることにより、リベット近傍が折れ曲がって支点となり、押下部（タブの先端）が作用点となって、パネル表面のスコアに囲まれた開口片を押圧、没入させてスコアを破断させ、飲み口を開口させることができる。この際、パネルはスコア形状に沿って破断されるが、開口片はパネルから離れることなく飲料用内部に押し入れられる。
【０００３】
そして、この種の缶蓋には、缶蓋本体のパネルに、上方に向けて凸とされたディンプルと称される凸部が設けられている。凸部は、一般に、パネルに２つ設けられており、これらの凸部は、開口片とリベットを挟んで反対側の開缶用タブの後端部側に重なるように配置されている。これにより、開缶用タブに、リベットを中心に回転しようとする力が作用した場合でも、開缶用タブの外縁部が凸部に引っ掛かることで、開缶用タブの回転移動が防止されるので、押下部を開口片に重ねて配置した状態に維持できる。
【先行技術文献】
【特許文献】
【０００４】
【特許文献１】特開２００５‐３３５８０８号公報
【発明の概要】
【発明が解決しようとする課題】
【０００５】
ところが、開缶用タブの後端部には、厚さ方向に貫通したフィンガーホールが形成されていることから、その後端部と凸部とが重ねて配置される範囲は限られている。このため、開缶用タブの外縁部が凸部を乗り越えて回転した場合には、その後は開缶用タブと干渉する箇所がなく回転を制限できなくなる。その結果、押下部と開口片との重なりを十分に確保できずに、開缶用タブの引上部を引き上げても開口片を開口できなくなり、開栓性を損なうおそれがある。
【０００６】
本発明は、このような事情に鑑みてなされたものであり、開缶用タブのリベットに対する回転を防止でき、開栓性に優れた缶蓋及び缶を提供することを目的とする。
【課題を解決するための手段】
【０００７】
本発明の缶蓋は、缶蓋本体とリベットにより該缶蓋本体に取り付けられた開缶用タブとを備え、前記缶蓋本体には、前記開缶用タブの下面側で該開缶用タブに向けて突出する一対の凸部が設けられ、前記開缶用タブには、前記缶蓋本体に向けて突出するタブパネルが設けられており、前記タブパネルは、前記リベットの中心から前記凸部の頂部までの距離を半径とする円弧上において、対となる前記凸部どうしの間に設けられていることを特徴とする。
【０００８】
この缶蓋の開缶用タブには、フィンガーホールを設けることなく、タブパネルが設けられている。そして、開缶用タブの下面側に突出するタブパネルが、缶蓋本体に設けられる対となる凸部どうしの間に設けられている。これにより、開缶用タブにリベットを中心とする時計回り又は反時計回りの力を加えて回転させようとしても、対となる凸部のうちの一方の凸部がタブパネルに接触して、開缶用タブの回転が防止される。また、開缶用タブにリベット回りの回転が加えられた際に、その一方の凸部がタブパネルの裏面と摺動することで、それ以上の回転を阻止できる。このため、開缶用タブの押下部を開口片を開栓可能な範囲に留めておくことができる。したがって、開缶用タブの押下部で開口片を確実に押圧でき、優れた開栓性を維持できる。
【０００９】
本発明の缶蓋において、前記凸部の頂部が、前記タブパネルの裏面よりも上側に突出して設けられているとよい。
この場合、開缶用タブがリベット回りに回転した際に、凸部の頂部をタブパネルの裏面に接触させることができ、開缶用タブの回転を回転を阻止できる。
【００１０】
本発明の缶蓋は、前記円弧上において、対となる前記凸部どうしの間の円弧長ａ１とし、前記タブパネルの両側縁間の円弧長をａ２とし、前記開缶用タブの両側縁間の円弧長をａ３としたときに、前記円弧長ａ１と前記円弧長ａ２との差分が、前記円弧長ａ３と前記円弧長ａ１との差分よりも小さく設けられているとよい。
対となる凸部とタブパネルとの関係をこのように設定することで、開缶用タブをリベット回りに回転させた際に、対となる凸部のうちの一方の凸部が開缶用タブの下面側から外れて露出する前に、他方の凸部をタブパネルの裏面と確実に接触させることができる。
【００１１】
本発明の缶は、缶胴本体に前記缶蓋が巻締められていることを特徴とする。
【発明の効果】
【００１２】
本発明によれば、開缶用タブのリベットに対する回転を防止できるので、開口片を開缶用タブの押下部によって確実に押圧でき、良好な開缶性を維持できる。
【図面の簡単な説明】
【００１３】
【図１】本発明の実施形態に係る缶蓋の平面図である。
【図２】図１に示す缶蓋の要部平面図である。
【図３】図１に示すＡ‐Ａ線に沿う矢視断面における缶蓋の要部断面図である。
【図４】図１に示すＢ‐Ｂ線に沿う矢視断面における缶蓋の断面図である。
【図５】図１に示すＣ‐Ｃ線に沿う矢視断面における缶蓋の断面図である。
【図６】図１に示す缶蓋において、開缶用タブをリベット回りに回転させた状態を説明する平面図である。
【図７】本発明の実施形態に係る容器の断面図である。
【図８】図１に示す缶蓋の缶蓋本体に取り付けられる開缶用タブの平面図である。
【図９】図８に示すＤ‐Ｄ線に沿う矢視断面における開缶用タブの断面図である。
【図１０】図８に示す開缶用タブの背面図である。
【発明を実施するための形態】
【００１４】
以下、本発明に係る開缶用タブ及び缶蓋並びに缶の実施形態を、図面を参照しながら説明する。
本実施形態の缶蓋１００は、例えば飲料用等の缶に用いられる、いわゆるステイオンタブ方式の缶蓋であり、図１〜図６に示すように、缶蓋本体２と、この缶蓋本体２に取り付けられた開缶用タブ１とにより構成される。また、このように構成される缶蓋１００は、図７に示すように、内容物を充填した缶胴本体３の開口端部に巻締められ、缶胴本体３の内部を密閉した缶１０１が製造される。なお、図示は省略するが、缶胴本体３は有底筒状に形成されている。これらの缶胴本体３、缶蓋本体２及び開缶用タブ１は、それぞれアルミニウム合金により形成されている。
【００１５】
缶蓋本体２は、図１〜図６に示すように、略円板状のパネル部２１と、このパネル部２１の外周部に沿って下方に凸となるように設けられた環状のカウンターシンク部２２とを備えている。そして、パネル部２１の一部には、凹状に形成されたパネルデボス２３が設けられており、このパネルデボス２３の底面に、開口片２７を画成するスコア２４と、開口片２７とはリベット２５を介して反対側に配置された指掛け凹部２６と、開缶用タブ１の下面側で開缶用タブ１に向けて突出する一対の凸部２９とが設けられている。凸部２９は、一般的にディンプルと称されるものであり、図１に示すように、リベット２５と指掛け凹部２６との間に開缶用タブ１の幅方向に間隔をおいて配置されている。
【００１６】
スコア２４は、開缶用タブ１による押圧によって破断されて開口片２７を缶内部に押し込まれることで、飲み口を開口する構成とされる。なお、開口片２７上には、スコア２４に沿うようにして上方に突出したインナービード２８が形成されており、開口片２７が補強されている。
リベット２５は、パネル部２１の上面をリング状に圧印するコイニング加工を施して、パネル部２１の中心部を上方に張り出させることにより形成されている。
【００１７】
また、指掛け凹部２６は、開缶用タブ１の後端部に沿うようにして、その下方近傍に、パネルデボス２３の底面の一部をさらに凹状にして形成されている。これにより、開封者は、指掛け凹部２６から指を開缶用タブ１の後端部（引上部１７）の下側に入れることで、後端部に指をかけやすく、後端部を容易に引き上げることができる。
そして、これらリベット２５と指掛け凹部２６との間に、凸部２９が形成されている。凸部２９は、パネルデボス２３の上面に突出し、開缶用タブ１（タブ本体１１）の幅方向に間隔をおいて２つ形成されている。この一対の凸部２９に、開缶用タブ１の周縁部１９やタブパネル１４が接触することで、開缶用タブ１がリベット２５回りへ回転移動することが防止されている。これら一対の凸部２９と開缶用タブ１との関係は、後に詳述する。
【００１８】
開缶用タブ１は、図３及び図８〜図１０に示すように、外形形状を形成するタブ本体１１の周縁部１９が下面側に折り曲げられてカール成形が施されて全体の剛性が高められており、下面側に突出する凸状に設けられている。そして、このタブ本体１１の中央付近には、缶蓋本体２のリベット２５と固着されるリベット孔１５を有する固着部１２が設けられている。また、固着部１２は、Ｕ字状のスロット１３により形成されている。
【００１９】
また、開缶用タブ１は、タブ本体１１の先端部に設けられて缶蓋本体２の開口片２７を押し下げて開口させるための押下部１６と、この押下部１６に対してタブ本体１１の固着部１２を挟んだ反対側に配置される後端部に設けられて押下部１６を押し下げるために缶蓋本体２から引き上げられる引上部１７と、缶蓋本体２に向けて突出するタブパネル１４とを備えている。また、タブパネル１４は、タブ本体１１の引上部１７と固着部１２との間に設けられて下面側に向けて凸となるように凹状に形成されている。
【００２０】
また、押下部１６及び引上部１７を含むタブ本体１１の周縁部１９は、下面側に折り返されることにより形成されている。このうち、引上部１７は、図９に符号１７ａ〜１７ｃで示すように、タブ本体１１の周縁部が下面側に折り返された後にさらに押し潰されており、裏側に凹部１７ｃが形成されている。
【００２１】
そして、引上部１７を除く開缶用タブ１の厚みｔ３は、１．３ｍｍ以上１．６ｍｍ以下に形成され、引上部１７の厚みｔ１は、０．７ｍｍ以上１．２ｍｍ以下に形成される。また、タブパネル１４の凹部深さＭは、この開缶用タブ１を形成している素材の板厚（０．２６ｍｍ以上０．３５ｍｍ以下）よりも大きく、０．５０ｍｍ以上１．０ｍｍ以下に形成されており、タブパネル１４の厚みｔ２は、０．８０ｍｍ以上１．１５ｍｍ以下に設けられている。
【００２２】
なお、図示は省略するが、このように構成される開缶用タブ１は、金属板にリベット孔１５等の開缶用タブ１に形成される孔形状を形成した後、連結片１８（図１０参照）を除いたブランクを打ち抜き、そのブランクを連結片１８で連結された状態で、図８から図１０に示すように、凹凸形状等の成形を施し、且つ、タブ本体１１の周縁部１９をカール成形する。そして、その後に後端部の周縁部１９を押しつぶして、引上部１７を形成する。最後に、連結片１８を切断することにより、個片化された開缶用タブ１が形成される。
【００２３】
そして、このように設けられる開缶用タブ１は、固着部１２に形成されたリベット孔１５に缶蓋本体２のリベット２５を挿入し、固着部１２の下面をパネルデボス２３の底面に当接させた状態でリベット２５をかしめることにより、缶蓋本体２に取り付けられている。
缶蓋本体２のパネルデボス２３の底面には、上述したように、一対の凸部２９が設けられており、タブパネル１４は、図１及び図６に示すように、リベット２５の中心から凸部２９の頂部２９ａまでの距離を半径ｒ１とする円弧Ｑ上に設けられている。また、一対の凸部２９は、タブパネル１４とタブ本体１１の幅方向の両側に設けられた周縁部１９との間に一つずつ設けられており、各凸部２９の頂部２９ａは、図３に示すように、タブパネル１４の裏面１４ｃよりも上側に突出して設けられるとともに、周縁部１９の下面１９ｃよりも上側に突出して設けられている。
【００２４】
つまり、缶蓋本体２に設けられる一対の凸部２９のそれぞれが、図１及び図２に示すように、開缶用タブ１の下面側に突出するタブパネル１４とタブ本体１１の周縁部１９との間に設けられている。また、これら凸部２９とタブパネル１４とは、図２及び図３に示すように、円弧Ｑ上において、対となる凸部２９どうしの間の円弧長をａ１とし、タブパネル１４の両側縁間の円弧長をａ２とし、開缶用タブ１（タブ本体１１）の両側縁間の円弧長をａ３としたときに、円弧長ａ１と円弧長ａ２との差分（ａ１−ａ２）が、円弧長ａ３と円弧長ａ１との差分（ａ３−ａ１）よりも小さく設けられている。
【００２５】
これにより、開缶用タブ１にリベット２５を中心とする時計回り又は反時計回りの力を加えて回転させようとしても、対となる凸部２９のうちの一方の凸部２９がタブパネル１４に接触することで、開缶用タブ１の回転が防止されるようになっている。なお、開缶用タブ１は、タブ本体１１の周縁部１９に接触することによっても回転が防止されるようになっている。
また、この缶蓋１００の開缶用タブ１においては、フィンガーホールが形成されていないので、開缶用タブ１にリベット２５回りの回転が加えられた際に、図６に示すように、一方の凸部２９がタブパネル１４の裏面１４ｃと摺動することで、それ以上の回転を阻止できる。なお、フィンガーホールの代わりにタブ本体１１の一部を下面側に向けて凸となるように形成したタブパネル１４を設けることで剛性を確保できるので、フィンガーホールを無くしたことにより全体の折れ曲がり強度が低下することを回避できる。
【００２６】
さらに、上述したように、凸部２９間の円弧長ａ１とタブパネル１４の両側縁間の円弧長ａ２との差分が、開缶用タブ１の両側縁間の円弧長ａ３と凸部２９間の円弧長ａ１との差分よりも小さく設けられているので、開缶用タブ１をリベット２５回りに回転させた際に、図６に示すように、対となる凸部２９のうちの一方の凸部２９（図６では、紙面の上側に配置されている凸部２９）が開缶用タブ１の下面側から外れて露出する前に、他方の凸部２９（図６では、紙面の下側に配置されている凸部２９）をタブパネル１４の裏面１４ｃに確実に接触させることができる。
このため、開缶用タブ１の押下部１６を開口片２７を開栓可能な範囲に留めておくことができる。したがって、開缶用タブ１の押下部１６で開口片２７を確実に押圧でき、優れた開栓性を維持できる。
【００２７】
なお、本発明は上記実施形態に限定されるものではなく、本発明の趣旨を逸脱しない範囲において種々の変更を加えることが可能である。
【符号の説明】
【００２８】
１  開缶用タブ
２  缶蓋本体
３  缶胴本体
１１  タブ本体
１２  固着部
１３  スロット
１４  タブパネル
１４ａ  タブパネルの上面
１４ｃ  タブパネルの裏面
１５  リベット孔
１６  押下部
１７  引上部
１８  連結片
１９  周縁部
２１  パネル部
２２  カウンターシンク部
２３  パネルデボス
２４  スコア
２５  リベット
２６  指掛け凹部
２７  開口片
２８  インナービード
２９  凸部
２９ａ  凸部の頂部
１００  缶蓋
１０１  缶
【図１】
2017124844.tif 000003
【図２】
2017124844.tif 000004
【図３】
2017124844.tif 000005
【図４】
2017124844.tif 000006
【図５】
2017124844.tif 000007
【図６】
2017124844.tif 000008
【図７】
2017124844.tif 000009
【図８】
2017124844.tif 000010
【図９】
2017124844.tif 000011
【図１０】
2017124844.tif 000012